(57)【特許請求の範囲】
【請求項１】
ペダル（１）とクランク（２）とを含む工具を必要としない素早く取り外し可能なペダル装置であって、
前記クランク（２）の車体側の面に中実のペダル軸（１２）に対する固定を行うための固定装置が設けられ、
前記固定装置がクランク（２）の車体側の面内に納められることで、車体側の面においてクランク（２）の外側へ延在されず、
前記クランク（２）と前記ペダル（１）との間に連結カプラー（１０）が設けられ、前記連結カプラー（１０）先端がクランクねじ山孔（２１）と接続され、前記連結カプラー（１０）の貫通孔内にペダル軸（１２）が嵌着され、前記連結カプラー（１０）がクランク（２）に取り付けられた後、その先端が前記クランクねじ山孔（２１）より所定の距離だけ張り出し、前記固定装置が前記連結カプラー（１０）のクランク（２）の車体側の面より張り出した部分に取り付けられ、前記固定装置がペダル軸（１２）の先端の凹溝（１２１）に係止され、
前記固定装置は、二つ以上の回動式の押圧片（６１）を有する押圧片パーツ（６）を含み、前記押圧片（６１）に位置復帰スプリング（６５）が設けられ、前記押圧片（６１）の周縁に凹溝の孔（６６）が設けられ、前記ペダル軸（１２）の先端の凹溝（１２１）が押圧片の凹溝の孔（６６）に挟持され、前記押圧片（６１）が支持板（４）に固定され、前記支持板（４）が連結カプラー（１０）先端を通して締結ナット（５）を介してクランク（２）の車体側の面に固定される、
工具を必要としない素早く取り外し可能なペダル装置。
【請求項２】
前記支持板にねじ山孔が設けられ、前記押圧片パーツに貫通孔が設けられ、スクリュー（７）が貫通孔を通して押圧片パーツを支持板に固定することを特徴とする請求項１に記載の工具を必要としない素早く取り外し可能なペダル装置。
【請求項３】
前記ペダル軸と連結カプラーとの間にサドル形弾性パッド（８）が設けられていることを特徴とする請求項１又は２に記載の工具を必要としない素早く取り外し可能なペダル装置。
【請求項４】
前記クランク（２）は、前記連結カプラー（１０）と一体に構成される装置であることを特徴とする請求項１又は２に記載の工具を必要としない素早く取り外し可能なペダル装置。
【請求項５】
ペダル（１）とクランク（２）とを含む工具を必要としない素早く取り外し可能なペダル装置であって、
前記クランクの非外側に中実のペダル軸（１２）に対する固定を行うための固定装置が設けられ、前記固定装置がクランク外側へも延在せずクランク外側部分をも含まず、
前記クランクと前記ペダルとの間に連結カプラー（１０）が設けられ、前記連結カプラー先端がクランクねじ山孔に接続され、末端の貫通孔内にペダル軸（１２）が嵌着され、クランク内側に磁石ベース（４０１）が設けられ、前記磁石ベースが連結カプラーに取り付けられ、前記磁石ベースに磁石が取り付けられ、前記磁石がペダル軸の端部に近いことを特徴とする、
工具を必要としない素早く取り外し可能なペダル装置。
【請求項６】
ペダル（１）とクランク（２）とを含む工具を必要としない素早く取り外し可能なペダル装置であって、
前記クランクの非外側に中実のペダル軸（１２）に対する固定を行うための固定装置が設けられ、前記固定装置がクランク外側へも延在せずクランク外側部分をも含まず、
前記クランク下端にスリット（６０６）が設けられ、ボルト（６０２）が前記スリットを貫通し、前記ボルトの一端にナット（６０１）が設けられ、他端に軸ナット（６０４）が設けられるとともに偏心ハンドル（６０３）が接続され、前記偏心ハンドルと前記クランクとの間にパッド片が設けられることを特徴とする、
工具を必要としない素早く取り外し可能なペダル装置。
【発明の詳細な説明】
【技術分野】
【０００１】
本発明は、素早く取り外し可能なペダル装置に関し、特に工具を必要としない素早く取り外し可能なペダル装置に関するものである。
【背景技術】
【０００２】
世界中のエネルギーが減少しつつあり、原油価格が高まっている現在、緑、エコの交通道具は、一般の人々に愛用されるようになっている。自転車を始めとして、緑、エコのみならず、体の鍛えることにもなる。現在、各地の政府は、次々に無料公共自転車を推進し、公共交通システムに合わせて緑の推進に力を入れて提唱している。この政策は、交通渋滞の時には圧力を明らかに緩和することができる。自転車は、通勤族にとって人気のある新しいものとなっており、折り畳み自転車はブームとなっており、市場にはタイプの異なる折り畳み自転車が現れている。従来、自転車の体積には人々に困らせる課題が下記のように２つ存在している。１、自転車のハンドル。２、自転車のペダル。自転車の横幅を如何にして減少させるかは、ずっと注目を浴びている。それらの課題を解決することができれば、男女老幼のいずれのスタイルの自転車も、容易に収納や携帯できるようになる。現在、国内外における折り畳みペダル及びクランク分野の特許出願公開文献は、調べることができる範囲内で、なんと数百件にもなっている。
【０００３】
折り畳み可能なペダルによって、車体は、横幅がさらに小さくなり、空間が節約されるとともに容易に収納され、包装される。自転車分野においては、クランクがペダルに向ける一側を「クランク外側」と称し、クランクが車梁に向ける一側を「クランク内側」と称する。従来のあらゆる技術において、取り外し可能なペダルは、いずれもクランク外側、即ちペダルの一側に位置するように固定されている。このような設置は、危険の虞があり、一般的に構造が複雑であり、コストが高い。中国特許ＣＮ２００８２０１３４５５１．７の文献において、ペダル軸とクランクとの間に結合部材２が設けられ、該結合部材の末端がクランク孔に接続され、先端にペダル軸が嵌着され、さらにその上側に作用孔２２とペダルに対して係止又は離間することを制御するための一連の部品とが設けられている「素早く取り外し可能なペダル装置」が開示されている。このような装置は、従来のものに比して進歩性を具えるが、部品数が多いため、複雑であり取り付けが容易ではない。また、ペダル軸の径方向に開口しているため、軸の強度や安全性が明らかに低下している。さらに、その制御装置がクランク外側、即ちクランクがペダルに向ける一側に設けられるため、人は、それに乗っている間に、ズボンの裾にかかってしまう可能性があり、又はその他の予想外の接触によって制御装置が開放し、例えば靴底に踏まれることによって、ペダルの抵抗が一層増し、さらには危険が発生する虞があり、また、操作方向が好ましくないこともあった。アメリカ特許ＵＳ５５８６４７２号において、「取り外し可能な自転車ペダル装置構造」が開示されている。その構造原理及び欠点は、上述中国特許と類似しているため、ここでは詳しい説明を省略する。アメリカ特許第ＵＳ２００３−００３３９０２Ａ１号の文献において、クランクねじ山孔側縁に溝が設けられ、接続部材が付設されることによって、ペダル全体が上側へ９０度回転することを実現する、「構造が収縮可能な自転車ペダル」が開示されている。しかしながら、クランクねじ山孔側縁に溝が設けられることで、強度が低下し、加工製造困難性が大幅に増加し、接続部材がクランク外側に設けられているため、予想外の接触によって装置が開放することがあった。
【０００４】
日本特許１１−２０８５６４号の文献において、クランク外側、内側及びクランク下端を挟む桶形固定装置を有し、該固定位置がクランク内側に位置する箇所にペダルに対する固定を行うためのロック装置が設けられるとともに、ペダル収容部により該桶形固定装置をクランクに固定する「クランクとペダル回転軸との接続構造」が開示されている。このような構造では、桶形固定装置がクランクの厚さ及び幅だけ増加したため、自転車に乗っている間に、人の足やズボンの裾が、桶形固定装置のクランク外側に位置する箇所に対して踏むか又はかかってしまう虞があり、ペダル軸末端に対するロック装置は、またも同時に桶形固定装置のクランク内側に位置する箇所に取り付けられるため、何回もの衝撃を受けた後、ロック装置が脱落する虞があり、危険を起こす可能性がある。また、上側のほか、該桶形固定装置のその他の５つの面は、外力からの衝撃を受ける可能性があるため、信頼性が大幅に低下する。
【０００５】
また、日本特許２００９−０７３３６４号及び２００５−１４５０８０号の文献において、いずれも固定装置が開示されており、上述日本特許文献における桶形固定装置と類似し、同じ欠点を有するため、ここでは詳しい説明を省略する。さらに、この２つの文献に開示された装置は構造が複雑であるため、工業化のロット生産及び応用には不向きである。
【０００６】
３０年来全世界で最大の折り畳み自転車製造販売メーカーとして、当会社は、研究や実験を絶えず行った結果、素早く取り外し可能なペダル技術において突発的な進展を遂げている。世界中の自転車生産量が１．１億台を超えている現在、わが国は、周知のように自転車の製造や利用の大国であり、世界生産量の７０％以上にも達している。折り畳みペダル技術は、これほど巨大の量の製品の使用上において、巨大な社会や経済の利益をもたらすに違いないであろう。
【０００７】
従来の技術では、いずれも係止力が非常に大きくなければならないと仮設されており、本発明とは本質的に大きな差異がある。論理的な計算及び実験の証明を行ったところ、われわれは、円柱形の一本のペダル軸ピンがクランクにおける大きい孔に挿入された場合、ペダルの角度が水平に対して２５度となった際でも、軸ピンが孔から滑り出すことができないことを発見した。２０度は、一般に自転車に乗ったときに最大値に近い角度である。即ち、軸ピンを抜き出しようとする足踏み力の分力は、軸ピンと孔内壁とが互いに摩擦する力よりも小さい。両者の力は、足踏み力に対して正比例している。言い換えれば、実際のペダル軸ロックに必要な力は、従来技術におけるロック力よりも大幅に小さいし、しかも一般印象におけるロック力よりも大幅に小さい。本発明は、この発見によって大いに啓発されている。
【先行技術文献】
【特許文献】
【０００８】
【特許文献１】中国特許ＣＮ２００８２０１３４５５１．７
【特許文献２】アメリカ特許ＵＳ５５８６４７２号
【特許文献３】ＵＳ２００３−００３３９０２Ａ１号
【特許文献４】日本特許１１−２０８５６４号
【特許文献５】日本特許２００９−０７３３６４号
【特許文献６】日本特許２００５−１４５０８０号
【発明の概要】
【発明が解決しようとする課題】
【０００９】
本発明は、装置構造が簡単であり、安全性が高く、工具を利用することなく、片手で操作を実現することができ、応用性が強く、コストが低く、プロモーションを容易に行うための素早く着脱可能なペダル装置を提供することを目的とする。
【課題を解決するための手段】
【００１０】
本発明は、ペダルとクランクとを含む工具を必要としない素早く取り外し可能なペダル装置であって、クランクの非外側に中実のペダル軸に対する固定を行うための固定装置が設けられ、前記固定装置がクランク外側へも延在せずクランク外側部分をも含まないことを特徴とする工具を必要としない素早く取り外し可能なペダル装置を提供する。
【００１１】
また、前記クランクと前記ペダルとの間に連結カプラーが設けられ、前記連結カプラー先端がクランクねじ山孔と接続され、末端の貫通孔内にペダル軸が嵌着され、前記連結カプラーがクランクに取り付けられた後、その先端が前記クランク孔より所定の距離だけ張り出し、前記固定装置が前記連結カプラーのクランク内側より張り出した部分に取り付けられ、前記固定装置がペダル軸先端の凹溝に係止される。
【００１２】
また、前記固定装置は、一つ以上の押圧片を有する押圧片パーツを含み、前記押圧片に位置復帰スプリングが設けられ、前記押圧片の周縁に凹溝が設けられ、前記ペダル軸先端の凹溝が押圧片の凹溝に挟持され、前記押圧片が支持板に固定され、前記支持板が連結カプラー先端を通して締結ナットを介して固定される。
【００１３】
また、前記固定装置は、ベースと、係止板と、蓋板とを含み、前記ベースが連結カプラー（１０）先端に固定され、前記係止板とベースとの間に位置復帰スプリングが設けられ、係止板中央が開口しており、前記係止板外側に蓋板が設けられ、スクリューが蓋板を通してベースのねじ山孔に接続されることにより固定される。
【００１４】
また、前記固定装置は、支持板と、トーションスプリングと、蓋板とを含み、前記トーションスプリングが両側からペダル軸先端の凹溝に係止され、前記トーションスプリングが支持板に取り付けられ、前記支持板が連結カプラーのクランク内側より張り出した端部に固定され、支持板外側に蓋板が設けられる。
【００１５】
また、前記クランクと前記ペダルとの間に連結カプラーが設けられ、前記連結カプラー先端がクランクねじ山孔に接続され、末端の貫通孔内にペダル軸が嵌着され、クランク内側に磁石ベースが設けられ、前記磁石ベースが連結カプラーに取り付けられ、前記磁石ベースに磁石が取り付けられ、前記磁石がペダル軸の端部に近い。
【００１６】
また、前記ペダル軸先端に凹溝が設けられ、前記クランク下端に貫通孔が設けられ、前記貫通孔がクランク孔内に貫通し、貫通孔にスプリングが設けられ、前記スプリング先端にボールが設けられ、前記スプリングの下端にスクリューが設けられ、前記貫通孔の先端が開口しており、直径がボールの直径よりも小さく、前記ボールがスプリング力の作用によってペダル軸の凹溝に合わせて固定される。
【００１７】
また、前記クランク下端にスリットが設けられ、ボルトが前記スリットを貫通し、前記ボルトの一端にナットが設けられ、他端に軸ナットが設けられるとともに偏心ハンドルが接続され、前記偏心ハンドルと前記クランクとの間にパッド片が設けられる。
【発明の効果】
【００１８】
本発明に係る素早く取り外し可能なペダル装置の固定装置は、クランク内側又はクランク孔内に設けられ、即ちロック装置が完全にクランク外側から離れているため、運転者のズボンの裾又は靴底にかかってしまうこともなく、予想外の接触によって開放することもなくなる。前記固定装置は、クランク外側に位置するのではないため、車枠にかかってしまう又は視覚の障害になることもない。このような素早く取り外し可能なペダル装置は、ペダルを片手の操作で装入又は取り出すことができるため、２〜３秒だけで操作を完成することができ、非常に簡単でかつ素早くできる。さらに自転車の横幅を縮減することができるため、放置時の収容に有利であり、包装箱の寸法も大幅に縮小され、包装材料の減少が実現され、環境の保護に有利である。
【図面の簡単な説明】
【００１９】
【図１】本発明に係る素早く取り外し可能なペダル装置の第１の実施例の立体模式図である。
【図２】本発明に係る素早く取り外し可能なペダル装置の第１の実施例の押圧片パーツの模式図である。
【図３】本発明に係る素早く取り外し可能なペダル装置の第１の実施例のペダル軸の模式図である。
【図４】本発明に係る素早く取り外し可能なペダル装置の第１の実施例の組み付け模式図である。
【図５】本発明に係る素早く取り外し可能なペダル装置の第１の実施例の組み付け後の断面模式図である。
【図６】本発明に係る素早く取り外し可能なペダル装置の第２の実施例の立体模式図である。
【図７】本発明に係る素早く取り外し可能なペダル装置の第２の実施例の組み付け模式図である。
【図８】本発明に係る素早く取り外し可能なペダル装置の第２の実施例の断面図である。
【図９】本発明に係る素早く取り外し可能なペダル装置の第３の実施例の断面図である。
【図１０】本発明に係る素早く取り外し可能なペダル装置の第３の実施例の蓋板が除去された後の模式図である。
【図１１】本発明に係る素早く取り外し可能なペダル装置の第４の実施例の断面図である。
【図１２】本発明に係る素早く取り外し可能なペダル装置の第５の実施例の断面図である。
【図１３】本発明に係る素早く取り外し可能なペダル装置の第６の実施例の断面図である。
【発明を実施するための形態】
【００２０】
以下、本発明に係る工具を必要としない素早く取り外し可能なペダル装置を図面に基づいてさらに詳しく説明する。
【実施例１】
【００２１】
図１に示すように、ペダル１とクランク２との間に連結カプラー１０が設けられ、該連結カプラー１０は、内側に貫通孔が設けられた円柱体であり、その前段に凸台が設けられ、後段にねじ山が設けられ、該ねじ山とクランク２のクランクねじ山孔２１とが互いに組み合わせられる。該連結カプラーは、クランクに取り付けられた後、その先端が前記クランク孔より所定の距離だけ張り出している。連結カプラー１０に調節パッド片１１を付加してクランク孔に螺入し、支持板４に両面テープ３を付加してクラック内側より連結カプラーねじ山（溝位置を下方に向ける）を装入し締結ナット５によってクランク内側に締結接合され、該締結ナット５及び連結カプラー１０の後段は、クランクねじ山孔２１のねじ山部分を通して互いに螺着固定される。さらに、支持板４の後側に押圧片パーツ６を付加し、該支持板４及び押圧片パーツ６に対応する孔が設けられ、両者は、スクリュー７により接続される。このように、クランクパーツの取り付けが完了する。該支持板４の一端にストッパー板４１が設けられ、該ストッパー板４１と支持板４の主体との間に凹溝が設けられ、該凹溝には押圧片パーツ６の下端が収容される。
【００２２】
ペダル軸１２にサドル形弾性パッド８及びＯ形ゴムリング９が装入され、連結カプラー１０の孔を通して力を入れて打ち込み、ペダル先端の斜角斜面１２２が押圧片の弾性力に抵抗し押圧片を押し開き、凹溝１２１の箇所において押圧片が弾性力の作用によって復帰され、ペダル軸１２に係止される。ペダルを取り外す場合、左右の両押圧片を同時に押さないと取り出すことができないため、二重の安全性を実現することができる。
【００２３】
図２及び図３に示すように、押圧片パーツ６の２つの押圧片６１、６２の位置復帰スプリング６５が設けられ、押圧片パーツ６の両端６１、６２をつまんで力Ｆを印加して、左右押圧片が軸中心６３、６４の回りに回動し、ペダル軸溝から離れ、ペダルが前部サドル形弾性パッド片８及びＯ形ゴムリングの弾力の共同作用によって少しだけ飛び出すため、手で取り出すことができ、操作が極めて便利であり、片手で押圧片パーツの両側をつまんで、手を離して、ペダルを取り出すことができる。ペダル１２の前部に凹溝１２１が設けられ、該ペダル軸１２の最先端に斜角斜面１２２が設けられ、該斜面１２２の目的は、ペダル１２の推力作用によってスムーズに押圧片を押し開くことができることである。ストッパー板４１は、２つの押圧片が押し開かれた過程において、クランク孔の径方向へ湾曲変形しないように機能する。
【００２４】
図４及び図５に示すように、装着が完了した後、押圧片パーツ６の２つの押圧片６１、６２が互いに合わせられた状態において、両押圧片の中央に形成された孔６６は、ペダル軸１２の凹溝１２１に係止され、クランク部材全体及び開閉制御装置がクランクの内側に設けられており、予想外の接触によることはないため、ペダルの固定を安定的に実現することができる。
【００２５】
この実施例において、押圧片は、押圧片６１、６２の２つであるが、１つだけでも同様にペダルの凹溝に係止することができるため、まったく同等の機能を実現することができる。ただし、２つ以上の押圧片である場合、挟持がより強固であるため、好ましい。
【００２６】
この実施例において、支持板４は、連結カプラー１０の先端に直接螺着することもできるため、締結ナット５を設ける必要はなくなる。
【００２７】
片手での挟持又は開放をよりスムーズに実現するために、設計パラメータに対してさらなる最適化を行うことができる。ペダル軸１２の最先端の直径をＤ１とし、凹溝１２１の直径をＤ２とし、ペダル軸１２の直径をＤ３とし、位置復帰スプリング力による２つの押圧片６１、６２の閉合状態における孔６６の直径をＤ４とし、Ｄ１＜Ｄ４＜Ｄ３であり、Ｄ４がＤ２に等しく又はそれよりもやや大きい場合、効果がよいため、この関係式は好ましいが、本発明を実現するための必要なパラメータ特徴ではない。
【００２８】
この装置におけるクランクパーツの厚さが極めて薄く、即ち押圧片パーツ６及び支持板４、締結ナット５がクランク内側に取り付けられた後、その全体の厚さは、７．５ｍｍ以下になる。該装置の挟持固定装置は、ペダルの他側に位置するため、車枠及び運転者のズボンの裾にかかることはなく、運転時の危険を回避するとともに視覚上の障害になることもない。従来のペダルに比して、本発明に係るペダルは、ただ１０元の費用が増加し、コストが低く、プロモーションが容易である。
【実施例２】
【００２９】
第２の実施例において、図６〜８に示すように、クランク外側、即ちペダルの一側における構造装置は、実施例１と同様であるが、その相違点は、クランク内側に設けられた固定装置の差異にあることだけである。ベース３１の中央孔は、連結カプラー１０の先端のねじ山に接続固定される。該ベース３１の外側に係止板３２が設けられ、係止板３２の中央が開口しており、係止板３２の外側に蓋板３３が設けられ、スクリュー３４が蓋板３３の貫通孔を通してベース３１に接続されることにより固定が実現される。上述ベース３１と係止板３２との間にスプリング３５が設けられ、自然状態において、スプリングによって係止板が押し上げられる。係止板上に案内溝が設けられるとともにベース３１に位置制限柱が設けられ、両者の組み合わせにより係止板３２の作動方向及び範囲を制限する。
【００３０】
装入の場合には、ペダル軸が連結カプラー１０に挿入され、軸端斜角斜面１２２がスプリング力に抵抗し係止板（係止板が下方へ滑る）を押し開き、軸は、係止板と面一になるように軸上凹溝に続けて入り込み、係止板３２は、スプリング３５の弾性力の作用によって復帰され、ペダル軸上の凹溝１２１に係止され、ペダルが係止されるようにする。取り出しの場合には、矢印の箇所に対して力Ｆを印加して、係止板が凹溝１２１から脱出するように下方へ滑り、ペダル軸１２は、サドル形弾性パッド８とＯ形ゴムリングの弾力性の共同作用によって少しだけ飛び出し、係止溝が係止板から離れ、手を離してペダルを取り出すことができる。
【実施例３】
【００３１】
第３の実施例は、図９〜１０に示すように、ほとんどが実施例１と同様であるが、その相違点は、トーションスプリング５０４により両側からペダル軸１２先端の凹溝に係止され、該トーションスプリングが支持板５０３に設けられ、該支持板が連結カプラーのクランク内側より張り出した端部に固定され、支持板外側に蓋板５０１が設けられ、スクリュー５０２を介して固定することができることにある。この装置において、トーションスプリング５０４は、一定の弾性力を有し、外力が作用しない場合には、中央に向けて閉合し、ペダル軸がクランクに押入された外力により、やや分岐してペダル軸１２の先端の凹溝を緊密に挟持することで、固定作用を実現することができる。
【実施例４】
【００３２】
第４の実施例は、図１１に示すような磁石吸着装置であり、ほとんどが実施例１と同様であるが、その相違点は、ペダル軸の固定方法が異なることにある。本発明では、ペダル軸１２に凹溝を設ける必要はなく、クランク２内側に磁石４０３を設けることによりペダル軸１２の先端に対する磁気吸引を生成することで、ペダル軸がクランク孔から脱落することを回避することにある。クランク内側に磁石ベース４０１を設け、該磁石ベースを連結カプラーに取り付け、磁石４０３を該磁石ベースに取り付け、磁石ベース外側にベース蓋４０２を設けると同時に、該ベース蓋は、磁石４０３を被覆する。当該装置において、片手での操作だけでペダルの挿入、取り出しを実現することができる。
【００３３】
第１〜第４の実施例において、前記連結カプラーは、クランクに取り付けられた後、その先端が前記クランク孔より所定の距離だけ張り出し、前記固定装置は、前記連結カプラーのクランク内側より張り出した部分に取り付けられる。また、クランク軸の退出をスムーズに行うために、ペダル軸と連結カプラーとの間にサドル形弾性パッドを設けることができる。クランクは、連結カプラーに合わせて取り付ける標準部材であるが、非標準部材に構成してもよく、即ち、加工、製造過程において、上述構造のクランクを連結カプラーと一体に構成してもよい。
【実施例５】
【００３４】
第５の実施例は、図１２に示すように、ペダル軸１２の先端に凹溝が設けられ、クランク２の下端に貫通孔３０１が設けられ、該貫通孔は、クランク孔内に貫通し、該貫通孔３０１にスプリング３０２が設けられ、該スプリング先端にボール３０３が設けられ、該貫通孔３０１先端の開口直径はボール３０３の直径よりも小さい。このように、ボール３０３は、スプリング力の作用によって上方へ押し上げられ、ボール３０３は、貫通孔３０１より一部突出するが、該貫通孔から脱出することはない。貫通孔３０１の下端にスクリュー３０４を設けることによりスプリングに対する位置制限を行う。このように、ペダル軸１２を力いっぱいクランク孔内に挿入する場合、ボール３０３は、スプリングの作用によってペダル軸１２の凹溝に当接され、ペダル軸の左右移動が制限され、ペダル軸を取り外す場合、一定の引っ張り力を印加することで片手での操作を完成することができる。この素早く取り外し可能なペダル装置は、簡単でかつ安全であり、クランク軸に対する位置制限装置がクランク内部に設けられているため、運転中にズボンの裾にかかってしまう又は靴底がロック装置に踏むことによって開放してしまうことはなくなる。
【実施例６】
【００３５】
第６の実施例は、図１３に示すように、クランク２の下端にスリット６０６が設けられるとともに偏心で素早く取り外し可能なパーツが取り付けられている。具体的には、ボルト６０２がスリット６０６を貫通し、該ボルトの一端にナット６０１が設けられ、他端に軸ナット６０４が設けられるとともに偏心ハンドル６０３が接続される。該偏心ハンドルとクランクとの間にパッド片６０５が設けられる。このように、ペダル軸をクランク孔に入れ、偏心ハンドルを捻れば、閉鎖又は開放を行うことができる。
【００３６】
上述実施例１〜６において、前記固定装置は、クランク外側へも延在せずクランク外側部分をも含まないため、足に踏まれることに起因した緩みを完全に回避することができ、また、前記ペダル軸は中実軸であるため、安全性がさらに向上する。
【００３７】
本発明に係る素早く取り外し可能なペダル装置は、複数の種類の車両、例えば自転車、電気自動車、小型自動二輪車等に適用することができる。
【００３８】
上記のように、これらの実施の形態は本発明の好ましい実施例のみであり、本発明の特許請求の範囲に基づいてなされる等価の変更や修飾は、本発明の技術範囲に入るものである。
【符号の説明】
【００３９】
１  ペダル
２  クランク
３  両面テープ
４  支持板
５  締結ナット
６  押圧片パーツ
７  スクリュー
８  サドル形弾性パッド
９  Ｏ形ゴムリング
１０  連結カプラー
１１  調節パッド片
１２  ペダル軸
２１  クランクねじ山孔
３１  ベース
３２  係止板
３３  蓋板
３４  スクリュー
３５  スプリング
４１  ストッパー板
６１  押圧片
６３、６４  軸中心
６５  位置復帰スプリング
６６  孔
１２１  凹溝
１２２  斜角斜面
３０１  貫通孔
３０２  スプリング
３０３  ボール
３０４  スクリュー
４０１  磁石ベース
４０２  ベース蓋
４０３  磁石
５０１  蓋板
５０２  スクリュー
５０３  支持板
５０４  トーションスプリング
６０１  ナット
６０２  ボルト
６０３  偏心ハンドル
６０４  軸ナット
６０５  パッド片
６０６  スリット
【図１】
0005593402.tif 000002
【図２】
0005593402.tif 000003
【図３】
0005593402.tif 000004
【図４】
0005593402.tif 000005
【図５】
0005593402.tif 000006
【図６】
0005593402.tif 000007
【図７】
0005593402.tif 000008
【図８】
0005593402.tif 000009
【図９】
0005593402.tif 000010
【図１０】
0005593402.tif 000011
【図１１】
0005593402.tif 000012
【図１２】
0005593402.tif 000013
【図１３】
0005593402.tif 000014